(57)【要約】      （修正有）【課題】携帯端末機及び携帯端末機のコンテンツの拡大表示方法を提供する。【解決手段】携帯端末機は、コンテンツを表示するタッチスクリーン１０００と、タッチスクリーン上に第１の拡大鏡３２２及び第２の拡大鏡３３２を表示し、第１の拡大鏡３２２に含まれたコンテンツの一部を第１の倍率により拡大し表示し、第２の拡大鏡３３２に含まれたコンテンツの一部を第２の倍率により拡大し表示する。第１の拡大鏡３２２及び第２の拡大鏡３３２が相互に重畳される重畳領域３４２に含まれたコンテンツの一部を第１の倍率及び第２の倍率とは異なる第３の倍率により拡大し表示する制御部とを有する。【選択図】図４
2015170365.tif 000002
【特許請求の範囲】
【請求項１】
タッチスクリーン上にコンテンツを表示するステップと、
前記タッチスクリーン上に第１の拡大鏡を表示し、前記第１の拡大鏡に含まれた前記コンテンツの一部を第１の倍率により拡大し表示するステップと、
前記タッチスクリーン上に第２の拡大鏡を表示し、前記第２の拡大鏡に含まれた前記コンテンツの一部を第２の倍率により拡大し表示するステップと、を有し、
前記第１の拡大鏡及び前記第２の拡大鏡が相互に重畳される重畳領域に含まれた前記コンテンツの一部は、前記第１の倍率及び前記第２の倍率とは異なる第３の倍率により拡大され表示されることを特徴とする携帯端末機のコンテンツの拡大表示方法。
【請求項２】
タッチスクリーン上にコンテンツを表示するステップと、
前記タッチスクリーン上に第１の拡大鏡を表示し、前記第１の拡大鏡に含まれた前記コンテンツの一部を第１の倍率により拡大し表示するステップと、
前記タッチスクリーン上に第２の拡大鏡を表示し、前記第２の拡大鏡に含まれた前記コンテンツの一部を第２の倍率により拡大し表示するステップと、
前記第２の拡大鏡上のユーザのジェスチャに応じて、前記第２の拡大鏡を移動させることにより前記第２の拡大鏡が前記第１の拡大鏡を重畳させるステップと、を有し、
前記第１の拡大鏡及び前記第２の拡大鏡が相互に重畳される領域に含まれた前記コンテンツの一部は、前記第１の倍率及び前記第２の倍率とは異なる第３の倍率により拡大され表示されることを特徴とする携帯端末機のコンテンツの拡大表示方法。
【請求項３】
前記コンテンツが第１の速度により再生されている動画像である場合に、前記第１の拡大鏡に含まれた前記コンテンツの一部を前記第１の速度とは異なる第２の速度により再生するとともに前記第１の拡大鏡に含まれた前記動画像の一部を前記第１の倍率により拡大し表示するステップを有することを特徴とする請求項１に記載の携帯端末機のコンテンツの拡大表示方法。
【請求項４】
前記コンテンツの一部を前記第３の倍率により拡大し表示するステップは、
前記第１の拡大鏡及び前記第２の拡大鏡の全体が相互に重畳される場合に、第３の拡大鏡は、前記タッチスクリーン上に表示され、前記第３の拡大鏡に含まれた前記コンテンツの一部は、前記第３の倍率により拡大され表示されることを特徴とする請求項１に記載の携帯端末機のコンテンツの拡大表示方法。
【請求項５】
前記第２の拡大鏡上のユーザのジェスチャに応じて、前記第２の拡大鏡及び前記重畳領域を前記タッチスクリーンから除去するステップをさらに有することを特徴とする請求項１に記載の携帯端末機のコンテンツの拡大表示方法。
【請求項６】
前記コンテンツの一部を前記第３の倍率により拡大し表示するステップは、
前記第１の拡大鏡及び前記第２の拡大鏡のそれぞれが長さＲ１及びＲ２の半径を有する円の形態を有する場合、及び前記第１の拡大鏡の中心と前記第２の拡大鏡の中心との間の直線距離が前記Ｒ１の長さを前記Ｒ２の長さに加えることにより得られた長さより小さい場合に、前記第１の拡大鏡及び前記第２の拡大鏡が相互に重畳される重畳領域に含まれた前記コンテンツの一部を前記第３の倍率により拡大し表示することを特徴とする請求項１に記載の携帯端末機のコンテンツの拡大表示方法。
【請求項７】
タッチスクリーン上にコンテンツを表示するステップと、
前記タッチスクリーン上に第３の拡大鏡を表示し、前記第３の拡大鏡に含まれた前記コンテンツの一部を第３の倍率により拡大し表示するステップと、
ユーザのジェスチャに応じて、第１の拡大鏡及び第２の拡大鏡を表示し、前記第１の拡大鏡に含まれた前記コンテンツの一部を前記第３の倍率とは異なる第１の倍率により拡大し表示し、前記第２の拡大鏡に含まれた前記コンテンツの一部を前記第３の倍率とは異なる第２の倍率により拡大し表示するステップと、を有し、
前記第１の拡大鏡及び前記第２の拡大鏡が相互に重畳される重畳領域に含まれた前記コンテンツの一部が前記第３の倍率により拡大され表示されることを特徴とする携帯端末機のコンテンツの拡大表示方法。
【請求項８】
前記第１の倍率又は前記第２の倍率は、前記第３の倍率より小さいことを特徴とする請求項１又は７に記載の携帯端末機のコンテンツの拡大表示方法。
【請求項９】
コンテンツを表示するタッチスクリーンと、
前記タッチスクリーン上に第１の拡大鏡及び第２の拡大鏡を表示し、前記第１の拡大鏡に含まれた前記コンテンツの一部を第１の倍率により拡大し表示し、前記第２の拡大鏡に含まれた前記コンテンツの一部を第２の倍率により拡大し表示し、前記第１の拡大鏡及び前記第２の拡大鏡が相互に重畳される重畳領域に含まれた前記コンテンツの一部を前記第１の倍率及び前記第２の倍率とは異なる第３の倍率により拡大し表示する制御部と、
を有することを特徴とするコンテンツの拡大及び表示を行う携帯端末機。
【請求項１０】
前記タッチスクリーンは、前記第２の拡大鏡上のユーザのジェスチャの入力を受信し、前記制御部は、前記ユーザのジェスチャに応じて、前記第２の拡大鏡を移動させることにより前記第１の拡大鏡を重畳させ、前記第１の拡大鏡及び前記第２の拡大鏡が相互に重畳される重畳領域に含まれた前記コンテンツの一部を前記第３の倍率により拡大し表示することを特徴とする請求項９に記載の携帯端末機。
【請求項１１】
前記コンテンツが第１の速度により再生されている動画像である場合に、前記制御部は、前記第１の拡大鏡に含まれた前記コンテンツの一部を前記第１の速度とは異なる第２の速度により再生するとともに前記第１の倍率により拡大し表示することを特徴とする請求項９に記載の携帯端末機。
【請求項１２】
前記制御部は、前記第１の拡大鏡及び前記第２の拡大鏡の全体が重畳される場合に、前記タッチスクリーン上に第３の拡大鏡を表示し、前記第３の拡大鏡に含まれた前記コンテンツの一部を前記第３の倍率により拡大し表示することを特徴とする請求項９に記載の携帯端末機。
【請求項１３】
前記タッチスクリーンは、前記第２の拡大鏡上のユーザのジェスチャの入力を受信し、前記制御部は、前記第２の拡大鏡上のユーザのジェスチャに応じて、前記第２の拡大鏡及び前記重畳領域を前記タッチスクリーンから除去することを特徴とする請求項９に記載の携帯端末機。
【請求項１４】
前記制御部は、前記第１の拡大鏡及び前記第２の拡大鏡のそれぞれが長さＲ１及びＲ２の半径を有する円の形態を有する場合、及び前記第１の拡大鏡の中心と前記第２の拡大鏡の中心との間の直線距離が前記Ｒ１の長さを前記Ｒ２の長さに加えることにより得られた長さより小さい場合に、前記第１の拡大鏡及び前記第２の拡大鏡が相互に重畳される重畳領域に含まれた前記コンテンツの一部を前記第３の倍率により拡大し表示することを特徴とする請求項９に記載の携帯端末機。
【請求項１５】
コンテンツ及び第３の拡大鏡を表示し、前記第３の拡大鏡に含まれた前記コンテンツの一部を第３の倍率により拡大し表示するタッチスクリーンと、
前記第３の拡大鏡上のユーザのジェスチャに応じて、第１の拡大鏡及び第２の拡大鏡を表示し、前記第１の拡大鏡に含まれた前記コンテンツの一部を前記第３の倍率とは異なる第１の倍率により拡大し表示し、前記第２の拡大鏡に含まれた前記コンテンツの一部を前記第３の倍率とは異なる第２の倍率により拡大し表示し、前記第１の拡大鏡及び前記第２の拡大鏡が相互に重畳される重畳領域に含まれた前記コンテンツの一部を前記第３の倍率により拡大し表示する制御部と、
を有することを特徴とする携帯端末機。
【請求項１６】
前記第１の倍率又は前記第２の倍率は、前記第３の倍率より小さいことを特徴とする請求項９又は１５に記載の携帯端末機。
【請求項１７】
タッチスクリーン上にコンテンツを表示するステップと、
前記タッチスクリーン上に第１の拡大鏡を表示し、前記第１の拡大鏡に含まれた前記コンテンツの一部を第１の倍率により拡大し表示するステップと、
前記タッチスクリーン上に第２の拡大鏡を表示し、前記第２の拡大鏡に含まれた前記コンテンツの一部を第２の倍率により拡大し表示するステップと、を有し、
前記第１の拡大鏡及び前記第２の拡大鏡が相互に重畳される重畳領域に含まれた前記コンテンツの一部を前記第１の倍率及び前記第２の倍率とは異なる第３の倍率により拡大し表示するコンテンツの拡大及び表示のためのプログラムを記憶することを特徴とする非揮発性記録媒体。
【請求項１８】
タッチスクリーン上にコンテンツを表示するステップと、
前記タッチスクリーン上に第３の拡大鏡を表示し、前記第３の拡大鏡に含まれた前記コンテンツの一部を第３の倍率により拡大し表示するステップと、
ユーザのジェスチャに応じて、第１の拡大鏡及び第２の拡大鏡を表示し、前記第１の拡大鏡に含まれた前記コンテンツの一部を前記第３の倍率とは異なる第１の倍率により拡大し表示し、前記第２の拡大鏡に含まれた前記コンテンツの一部を前記第３の倍率とは異なる第２の倍率により拡大し表示するステップと、を有し、
前記第１の拡大鏡及び前記第２の拡大鏡が相互に重畳される重畳領域に含まれた前記コンテンツの一部を前記第３の倍率により拡大し表示するコンテンツの拡大及び表示のためのプログラムを記憶することを特徴とする非揮発性記録媒体。
【発明の詳細な説明】
【技術分野】
【０００１】
本発明は、携帯端末機及び携帯端末機のコンテンツの拡大表示方法に係り、より詳しくは、ユーザの入力に応じて、携帯端末機及び携帯端末機のコンテンツの一部を拡大し表示する方法に関する。
【背景技術】
【０００２】
携帯端末機の表示部を通してコンテンツが表示される。コンテンツは、例えば、動画像、イメージ、テキスト文書、ウェブ文書、アプリケーション、ユーザインターフェース（Ｕｓｅｒ  Ｉｎｔｅｒｆａｃｅ、ＵＩ）、又は放送局の送信装備から受信される放送データに基づく放送画像などを含む。
【０００３】
イメージ又はウェブ文書が表示される場合に、携帯端末機は、イメージ又はウェブ文書を拡大し表示する。例えば、携帯端末機は、表示部上へのユーザのピンチオープン（Ｐｉｎｃｈ  ｏｐｅｎ）ジェスチャに応じて、表示部上に表示中であるイメージ又はウェブ文書を拡大し表示する。また、携帯端末機は、表示部上へのユーザのピンチクローズ（Ｐｉｎｃｈ  ｃｌｏｓｅ）ジェスチャに応じて、表示部上に表示中であるイメージ又はウェブ文書を縮小し表示する。
【０００４】
コンテンツが携帯端末機の表示部上に拡大されて表示される場合に、ユーザは、コンテンツの拡大倍率を変更することを希望することがある。この場合、ユーザが個別の設定メニューを用いてコンテンツの拡大倍率を決定するか、または、他のジェスチャを実行してコンテンツを拡大しなければならないという不便さがあった。したがって、コンテンツを拡大して見る一貫したユーザのアクションを維持することに難しさがあった。
【０００５】
また、動画像などのモーションを含むコンテンツが拡大されて表示される場合、ユーザは、ジェスチャを実行する過程において拡大しようとするターゲットを逃すことがある。例えば、ユーザが表示部上にピンチオープンジェスチャを実行する場合、拡大しようとするターゲットは、表示部上の他の位置に移動するか又は表示部から消えることがある。
【０００６】
したがって、コンテンツの拡大倍率を直観的に変更する方法、及び拡大しようとするターゲットを逃さず、動画像などの動くコンテンツを拡大する方法が要求される。
【先行技術文献】
【特許文献】
【０００７】
【特許文献１】米国特許出願公開第２００８−０１６８３８４号公報
【発明の概要】
【発明が解決しようとする課題】
【０００８】
したがって、本発明は、上述した課題もしくは不都合な点を解決し、少なくとも以下に示す優位性を提供する。すなわち、本発明の目的は、携帯端末機のコンテンツの拡大倍率を直観的に変更する方法、及び拡大しようとするターゲットを逃さず、動画像などの動くコンテンツの拡大及び表示を行う方法、及びそれを具現する携帯端末機を提供することにある。
【課題を解決するための手段】
【０００９】
上記の目的を達成するための本発明の一態様によれば、携帯端末機のコンテンツの拡大表示方法が提供される。上記方法は、タッチスクリーン上にコンテンツを表示するステップと、上記タッチスクリーン上に第１の拡大鏡を表示し、上記第１の拡大鏡に含まれた上記コンテンツの一部を第１の倍率により拡大し表示するステップと、上記タッチスクリーン上に第２の拡大鏡を表示し、上記第２の拡大鏡に含まれた上記コンテンツの一部を第２の倍率により拡大し表示するステップと、を有し、上記第１の拡大鏡及び上記第２の拡大鏡が相互に重畳される重畳領域に含まれた上記コンテンツの一部は、上記第１の倍率及び上記第２の倍率とは異なる第３の倍率により拡大され表示されることを特徴とする。
【００１０】
本発明の実施形態の他の態様によれば、携帯端末機のコンテンツの拡大表示方法が提供される。上記方法は、タッチスクリーン上にコンテンツを表示するステップと、上記タッチスクリーン上に第１の拡大鏡を表示し、上記第１の拡大鏡に含まれた上記コンテンツの一部を第１の倍率により拡大し表示するステップと、上記タッチスクリーン上に第２の拡大鏡を表示し、上記第２の拡大鏡に含まれた上記コンテンツの一部を第２の倍率により拡大し表示するステップと、上記第２の拡大鏡上のユーザのジェスチャに応じて上記第２の拡大鏡を移動させることにより上記第２の拡大鏡が上記第１の拡大鏡を重畳させるステップと、を有し、上記第１の拡大鏡及び上記第２の拡大鏡が相互に重畳される領域に含まれた上記コンテンツの一部は、上記第１の倍率及び上記第２の倍率とは異なる第３の倍率により拡大され表示されることを特徴とする。
【００１１】
本発明の実施形態のさらに他の態様によれば、タッチスクリーン上にコンテンツを表示するステップと、上記タッチスクリーン上に第３の拡大鏡を表示し、上記第３の拡大鏡に含まれた上記コンテンツの一部を第３の倍率により拡大し表示するステップと、ユーザのジェスチャに応じて、第１の拡大鏡及び第２の拡大鏡を表示し、上記第１の拡大鏡に含まれた上記コンテンツの一部を上記第３の倍率とは異なる第１の倍率により拡大し表示し、上記第２の拡大鏡に含まれた上記コンテンツの一部を上記第３の倍率とは異なる第２の倍率により拡大し表示するステップと、を有し、上記第１の拡大鏡及び上記第２の拡大鏡が相互に重畳される重畳領域に含まれた上記コンテンツの一部が上記第３の倍率により拡大され表示されることを特徴とする。
【００１２】
本発明の実施形態のさらなる他の態様によれば、コンテンツの拡大及び表示を行う携帯端末機が提供される。上記携帯端末機は、コンテンツを表示するタッチスクリーンと、上記タッチスクリーン上に第１の拡大鏡及び第２の拡大鏡を表示し、上記第１の拡大鏡に含まれた上記コンテンツの一部を第１の倍率により拡大し表示し、上記第２の拡大鏡に含まれた上記コンテンツの一部を第２の倍率により拡大し表示し、上記第１の拡大鏡及び上記第２の拡大鏡が相互に重畳される重畳領域に含まれた上記コンテンツの一部を上記第１の倍率及び上記第２の倍率とは異なる上記第３の倍率により拡大し表示する制御部とを有することを特徴とする。
【００１３】
本発明のさらなる他の１つの態様によれば、コンテンツの拡大及び表示を行う携帯端末機が提供される。上記携帯端末機は、コンテンツ及び第３の拡大鏡を表示し、上記第３の拡大鏡に含まれた上記コンテンツの一部を第３の倍率により拡大し表示するタッチスクリーンと、上記第３の拡大鏡上のユーザのジェスチャに応じて、第１の拡大鏡及び第２の拡大鏡を表示し、上記第１の拡大鏡に含まれた上記コンテンツの一部を上記第３の倍率とは異なる第１の倍率により拡大し表示し、上記第２の拡大鏡に含まれた上記コンテンツの一部を上記第３の倍率とは異なる第２の倍率により拡大し表示し、上記第１の拡大鏡及び上記第２の拡大鏡が相互に重畳される重畳領域に含まれた上記コンテンツの一部を上記第３の倍率により拡大し表示する制御部と、を有することを特徴とする。
【００１４】
本発明のさらにまた他の態様によれば、コンテンツの拡大及び表示のためのプログラムを記憶する非一時的な記憶媒体が提供される。上記非一時的な記憶媒体は、タッチスクリーン上にコンテンツを表示し、上記タッチスクリーン上に第１の拡大鏡を表示し、上記第１の拡大鏡に含まれた上記コンテンツの一部を第１の倍率により拡大し表示し、上記タッチスクリーン上に第２の拡大鏡を表示し、上記第２の拡大鏡に含まれた上記コンテンツの一部を第２の倍率により拡大し表示し、上記第１の拡大鏡及び上記第２の拡大鏡が相互に重畳される重畳領域に含まれた上記コンテンツの一部を上記第１の倍率及び上記第２の倍率とは異なる第３の倍率により拡大し表示することを特徴とする。
【００１５】
本発明のさらにその他の態様によれば、コンテンツの拡大及び表示のためのプログラムを記憶する非一時的な記憶媒体が提供される。上記非一時的な記憶媒体は、タッチスクリーン上にコンテンツを表示し、上記タッチスクリーン上に第３の拡大鏡を表示し、上記第３の拡大鏡に含まれた上記コンテンツの一部を第３の倍率により拡大し表示し、ユーザのジェスチャに応じて、第１の拡大鏡及び第２の拡大鏡を表示し、上記第１の拡大鏡に含まれた上記コンテンツの一部を上記第３の倍率とは異なる第１の倍率により拡大し表示し、上記第２の拡大鏡に含まれた上記コンテンツの一部を上記第３の倍率とは異なる第２の倍率により拡大し表示し、上記第１の拡大鏡及び上記第２の拡大鏡が相互に重畳される重畳領域に含まれた上記コンテンツの一部を上記第３の倍率により拡大し表示することを特徴とする。
【発明の効果】
【００１６】
本発明の様々な実施形態によれば、ユーザは、複数の拡大鏡を重畳して拡大されたコンテンツの倍率を変更することにより、拡大鏡を用いてコンテンツを拡大する一貫したユーザのアクションを維持でき、直観的にコンテンツの倍率を変更できる。また、動画像などの動くコンテンツが拡大され表示される場合に、動画像の再生速度を遅くする変更により、ユーザは、動画像の再生の間でも拡大しようとするターゲットを逃さずコンテンツの一部を容易に拡大できる。
【００１７】
さらに、本発明の実施形態により得られるか、又は予測される効果については、本発明の実施形態についての詳細な説明において直接的に又は暗示的に開示する。例えば、本発明の実施形態により予測される様々な効果については、後述する詳細な説明において開示する。
【００１８】
本発明の実施形態の上述した及び他の様相、特徴、及び利点は、以下の添付図面を併用した後述の詳細な説明から、より一層明らかになる。
【図面の簡単な説明】
【００１９】
【図１】本発明の一実施形態による携帯端末機の構成を示すブロック図である。
【図２】本発明の一実施形態による携帯端末のソフトウェア構成を示すブロック図である。
【図３】本発明の一実施形態によるコンテンツを拡大し表示するプロセスを示す図である。
【図４】本発明の一実施形態によるコンテンツを拡大し表示するプロセスを示す図である。
【図５】本発明の一実施形態によるコンテンツを拡大し表示するプロセスを示す図である。
【図６】本発明の一実施形態による拡大されたコンテンツを縮小し表示するプロセスを示す図である。
【図７】本発明の一実施形態による拡大されたコンテンツを縮小し表示するプロセスを示す図である。
【図８】本発明の一実施形態による複数のコンテンツ領域を同時に拡大し表示するプロセスを示す図である。
【図９】本発明の一実施形態によるコンテンツの拡大倍率を増加させるプロセスを示す図である。
【図１０】本発明の一実施形態によるコンテンツの拡大倍率を増加させるプロセスを示す図である。
【図１１】本発明の一実施形態によるコンテンツを拡大するプロセスを示す図である。
【図１２】本発明の一実施形態によるコンテンツを拡大するプロセスを示す図である。
【図１３】本発明の一実施形態によるコンテンツを拡大し表示するプロセスを示すフローチャートである。
【図１４】本発明の一実施形態によるコンテンツを拡大し表示するプロセスを示すフローチャートである。
【図１５】本発明の一実施形態による携帯端末機の構成を示すブロック図である。
【発明を実施するための形態】
【００２０】
以下、本発明による詳細な説明においては、上述した技術的課題を解決するための代表的な実施形態を提供する。また、本発明の説明の便宜のために定義している同一の構成要素を同一の名称により使用する。しかしながら、説明の便宜のために使用する名称が本発明による権利を限定するものではなく、類似した技術的背景を有するシステムに対して同一又は少しの変更により適用可能である。
【００２１】
同一の理由により、添付の図面において、一部の構成要素は、誇張されるか、省略されるか、又は概略的に図示され、各構成要素のサイズは、実際のサイズを正確に反映するのでない。本発明は、添付の図面に示した相対的なサイズ又は間隔により限定されるのではない。
【００２２】
また、本発明において使用する単数形は、文脈上明白に異なることを必要としない限り複数形を含む。また、本明細書において使用する“及び”という用語は、列挙された関連アイテムの１つ以上のアイテムの可能なすべての組み合せを示すものと理解されなければならない。
【００２３】
さらに、本発明において使用する用語“部”、“モジュール”などは、少なくとも１つの機能又は動作を実行する単位を意味し、これは、ハードウェア、ソフトウェアにより具現されるか、又はハードウェアとソフトウェアとの組み合せにより具現される。
【００２４】
以下、本発明を、添付の図面を参照して説明する。
図１は、本発明の一実施形態による携帯端末機の構成を示すブロック図である。
【００２５】
図１の携帯端末機１００の構成は、例えば、携帯電話、タブレット、パーソナルコンピュータ（ＰＣ）、パーソナルディジタルアシスタント（ＰＤＡ）、ムービングピクチャーエクスパーツグループオーディオレイヤＩＩＩ（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、ＭＰ３）プレーヤ、キオスクＰＣ、電子写真立て、ナビゲーション装置、腕時計（Ｗｒｉｓｔ  ｗａｔｃｈ）又はヘッドマウントディスプレイ（Ｈｅａｄ−Ｍｏｕｎｔｅｄ  Ｄｉｓｐｌａｙ、ＨＭＤ）などのウェアラブルデバイス（Ｗｅａｒａｂｌｅ  ｄｅｖｉｃｅ）の様々なタイプの装置に適用される。
【００２６】
図１を参照すると、携帯端末機１００は、表示部１１０、制御部２００、メモリ１２０、ＧＰＳチップ１２５、通信部１３０、ビデオプロセッサ１３５、オーディオプロセッサ１４０、ユーザ入力部１４５、マイク部１５０、撮像部１５５、スピーカ部１６０、及び動き感知部１６５を含む。
【００２７】
表示部１１０は、表示パネル１１１及び表示パネル１１１を制御する制御部（図示せず）を含む。表示パネル１１１は、液晶表示（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ  Ｅｍｉｔｔｉｎｇ  Ｄｉｏｄｅｓ、ＯＬＥＤ）、アクティブマトリックス有機発光ダイオード（Ａｃｔｉｖｅ−Ｍａｔｒｉｘ  Ｏｒｇａｎｉｃ  Ｌｉｇｈｔ  Ｅｍｉｔｔｉｎｇ  Ｄｉｏｄｅ、ＡＭ−ＯＬＥＤ）、プラズマディスプレイパネル（Ｐｌａｓｍａ  Ｄｉｓｐｌａｙ  Ｐａｎｅｌ、ＰＤＰ）などの様々な形態のディスプレイにより具現される。表示パネル１１１は、柔軟に（ｆｌｅｘｉｂｌｅｌｙ）、透明に（ｔｒａｎｓｐａｒｅｎｔｌｙ）、又は着用できるように（ｗｅａｒａｂｌｅｌｙ）具現される。表示部１１０は、ユーザ入力部１４５のタッチパネル１４７と組み合せられてタッチスクリーン（図示せず）として提供される。例えば、タッチスクリーン（図示せず）は、表示パネル１１１及びタッチパネル１４７が積層構造により結合された一体型のモジュールを含む。
【００２８】
メモリ１２０は、内部メモリ（Ｉｎｔｅｒｎａｌ  Ｍｅｍｏｒｙ）（図示せず）及び外部メモリ（Ｅｘｔｅｒｎａｌ  Ｍｅｍｏｒｙ）（図示せず）の中の少なくとも１つを含む。
【００２９】
内部メモリは、例えば、揮発性メモリ（例えば、ダイナミックランダムアクセスメモリ（ＤＲＡＭ）、同期ダイナミックランダムアクセスメモリ（ＳＤＲＡＭなど）、非揮発性メモリ（例えば、ワンタイムプログラマブルリードオンリーメモリ（Ｏｎｅ  Ｔｉｍｅ  Ｐｒｏｇｒａｍｍａｂｌｅ  Ｒｅａｄ−Ｏｎｌｙ  Ｍｅｍｏｒｙ、ＯＴＰＲＯＭ）、プログラマブルＲＯＭ（Ｐｒｏｇｒａｍｍａｂｌｅ  ＲＯＭ、ＰＲＯＭ）、消去可能プログラマブルＲＯＭ（Ｅｒａｓａｂｌｅ  ａｎｄ  Ｐｒｏｇｒａｍｍａｂｌｅ  ＲＯＭ、ＥＰＲＯＭ）、電気的消去可能プログラマブルＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ、ＥＥＰＲＯＭ）、マスクＲＯＭ、フラッシュＲＯＭなど）、ハードディスクドライブ（ＨＤＤ）又はソリッドステートドライブ（ＳＳＤ）の中の少なくとも１つを含む。本発明の一実施形態によると、制御部２００は、揮発性メモリに命令又はデータをローディングすることにより非揮発性メモリ又は他の構成要素の中の少なくとも１つから受信された命令又はデータを処理する。さらに、制御部２００は、他の構成要素から受信するか又は生成されたデータを非揮発性メモリに格納する。
【００３０】
外部メモリは、例えば、コンパクトフラッシュ（登録商標）（Ｃｏｍｐａｃｔ  Ｆｌａｓｈ、ＣＦ）、セキュアディジタル（登録商標）（Ｓｅｃｕｒｅ  Ｄｉｇｉｔａｌ、ＳＤ）、マイクロセキュアディジタル（登録商標）（Ｍｉｃｒｏ  Ｓｅｃｕｒｅ  Ｄｉｇｉｔａｌ、Ｍｉｃｒｏ−ＳＤ）、ミニセキュアディジタル（登録商標）（Ｍｉｎｉ  Ｓｅｃｕｒｅ  Ｄｉｇｉｔａｌ、Ｍｉｎｉ−ＳＤ）、エクストリームディジタル（登録商標）（Ｅｘｔｒｅｍｅ  Ｄｉｇｉｔａｌ、ｘＤ）、及びメモリスティック（登録商標）（Ｍｅｍｏｒｙ  Ｓｔｉｃｋ）の中の少なくとも１つを含む。
【００３１】
メモリ１２０は、携帯端末機１００の動作のために使用される各種プログラム及び各種データを記憶する。例えば、メモリ１２０は、ワードプロセッサにより作成された電子文書又は外部サーバ（図示せず）から受信された電子文書を一時的に又は半永久的に記憶する。
【００３２】
制御部２００は、メモリ１２０に記憶されたプログラム及びデータを用いて表示部１１０上の電子文書の表示を制御する。言い換えれば、制御部２００は、メモリ１２０に記憶されたプログラム及びデータを用いて表示部１１０上に電子文書を表示する。さらに、ユーザのジェスチャが表示部１１０の１つの領域において実行される場合、制御部２００は、ユーザのジェスチャに対応する制御動作を実行する。
【００３３】
制御部２００は、ＲＡＭ２１０、ＲＯＭ２２０、中央処理ユニット（ＣＰＵ）２３０、グラフィック処理ユニット（Ｇｒａｐｈｉｃ  Ｐｒｏｃｅｓｓｉｎｇ  Ｕｎｉｔ、ＧＰＵ）２４０、及びバス２５０を含む。ＲＡＭ２１０、ＲＯＭ２２０、ＣＰＵ２３０、ＧＰＵ２４０などは、バス２５０を通して相互に接続される。
【００３４】
ＣＰＵ２３０は、メモリ１２０にアクセスすることによりメモリ１２０に記憶されたオペレーティングシステム（Ｏ／Ｓ）を用いてブーティングを実行する。また、ＣＰＵ２３０は、メモリ１２０に記憶された各種プログラム、コンテンツ、データなどを用いて様々な動作を実行する。
【００３５】
ＲＯＭ２２０は、システムブーティングのための命令語セットなどを記憶する。例えば、ターンオン命令が携帯端末機１００に入力されることにより、電源が携帯端末機１００に供給される場合に、ＣＰＵ２３０は、ＲＯＭ２２０に記憶された命令語に従ってメモリ１２０に記憶されたＯ／ＳをＲＡＭ２１０にコピーし、Ｏ／Ｓを実行させることによりシステムをブーティングさせる。ブーティングが完了する場合に、ＣＰＵ２３０は、メモリ１２０に記憶された各種プログラムをＲＡＭ２１０にコピーし、ＲＡＭ２１０にコピーされたプログラムを実行することにより各種動作を行う。携帯端末機１００のブーティングが完了する場合に、ＧＰＵ２４０は、表示部１１０の領域上にユーザインターフェース（ＵＩ）画面を表示する。具体的には、ＧＰＵ２４０は、コンテンツ、アイコン、メニューなどの様々な客体を含む電子文書が表示された画面を生成する。ＧＰＵ２４０は、画面のレイアウトに従って各客体が表示される座標値、形態、サイズ、カラーなどの属性値を計算する。また、ＧＰＵ２４０は、計算された属性値に基づいて客体を含む様々なレイアウトの画面を生成する。ＧＰＵ２４０により生成された画面は、表示部１１０に提供され、表示部１１０の各領域に表示される。
【００３６】
ＧＰＳチップ１２５は、ＧＰＳ（Ｇｌｏｂａｌ  Ｐｏｓｉｔｉｏｎｉｎｇ  Ｓｙｓｔｅｍ）衛星からＧＰＳ信号を受信して携帯端末機１００の現在の位置を計算する。制御部２００は、ナビゲーションプログラムが使用されるか又はユーザの現在の位置が必要とされる場合に、ＧＰＳチップ１２５を用いてユーザの位置を計算する。
【００３７】
通信部１３０は、様々なタイプの通信方式に従って様々なタイプの外部デバイスと通信する。通信部１３０は、Ｗｉ−Ｆｉ（登録商標）チップ１３１、ブルートゥース（登録商標）チップ１３２、無線通信チップ１３３、及び近距離無線通信（Ｎｅａｒ  Ｆｉｅｌｄ  Ｃｏｍｍｕｎｉｃａｔｉｏｎ、ＮＦＣ）チップ１３４の中の少なくとも１つを含む。制御部２００は、通信部１３０を用いて各種外部デバイスと通信する。
【００３８】
Ｗｉ−Ｆｉ（登録商標）チップ１３１及びブルートゥース（登録商標）チップ１３２は、Ｗｉ−Ｆｉ（登録商標）方式及びブルートゥース（登録商標）方式により通信を実行する。Ｗｉ−Ｆｉ（登録商標）チップ１３１又はブルートゥース（登録商標）チップ１３２を使用する場合に、サブシステム識別名（ＳｕｂＳｙｓｔｅｍ  ＩＤｅｎｔｉｆｉｃａｔｉｏｎ、ＳＳＩＤ）及びセッションキーなどの様々なタイプの接続情報をまず送受信し、この送受信された接続情報を用いて通信接続を実行した後に、様々なタイプの情報を送受信する。無線通信チップ１３３は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）、ジグビー、第３世代（３Ｇ）、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）、ロングタームエボリューション（Ｌｏｎｇ  Ｔｅｒｍ  Ｅｖｏｌｕｔｉｏｎ、ＬＴＥ）などの様々な通信標準に従って通信を実行するチップである。ＮＦＣチップ１３４は、１３５ｋＨｚ、１３．５６ＭＨｚ、４３３ＭＨｚ、８６０乃至９６０ＭＨｚ、２．４５ＧＨｚなどの様々な無線周波数ＩＤ（ＲＦ−ＩＤ）周波数帯域の中の１３．５６ＭＨｚの帯域を使用するＮＦＣ方式により動作するチップである。
【００３９】
ビデオプロセッサ１３５は、通信部１３０を通して受信されたコンテンツ又はメモリ１２０に記憶されたコンテンツに含まれたビデオデータを処理する。ビデオプロセッサ１３５は、ビデオデータに対するデコーディング、スケーリング、ノイズ・フィルタリング、フレームレート変換、解像度変換などの様々なイメージ処理を実行する。また、受信されたコンテンツが放送画像に対応する場合、ビデオプロセッサ１３５は、ディジタルマルチメディア放送（Ｄｉｇｉｔａｌ  ｍｕｌｔｉｍｅｄｉａ  ｂｒｏａｄｃａｓｔｉｎｇ、ＤＭＢ）、ディジタルビデオ放送（Ｄｉｇｉｔａｌ  ｖｉｄｅｏ  ｂｒｏａｄｃａｓｔｉｎｇ、ＤＶＢ）又はメディアフロー（ｍｅｄｉａ  ｆｌｏｗ）などの標準に従う放送画像を処理する。
【００４０】
オーディオプロセッサ１４０は、通信部１３０を通して受信されたコンテンツ又はメモリ１２０に記憶されたコンテンツに含まれたオーディオデータを処理する。オーディオプロセッサ１４０は、オーディオデータに対するデコーディング、増幅、ノイズ・フィルタリングなどの様々な処理を実行する。
【００４１】
マルチメディアコンテンツに対する再生プログラムが実行される場合に、制御部２００は、ビデオプロセッサ１３５及びオーディオプロセッサ１４０を駆動させ、対応するコンテンツを再生できる。スピーカ部１６０は、オーディオプロセッサ１４０により生成したオーディオデータを出力する
【００４２】
ユーザ入力部１４５は、ユーザから様々な命令語を受信する。ユーザ入力部１４５は、キー１４６、タッチパネル１４７、及びペン認識パネル１４８の中の少なくとも１つを含む。
【００４３】
キー１４６は、携帯端末機１００の本体の外観の前面、側面、背面などの様々な領域上に形成された機械的ボタン、ホイールなどの様々なタイプのキーを含む。
【００４４】
タッチパネル１４７は、ユーザのタッチ入力を感知し、感知されたタッチ信号に対応するタッチイベント値を出力する。タッチパネル１４７が表示パネル１１１と結合されることにより図１５のタッチスクリーン１０００を構成する場合に、タッチスクリーン１０００は、静電方式、抵抗方式、圧電方式などを用いて様々なタイプのタッチセンサにより具現される。静電方式は、タッチスクリーン１０００の表面にコーティングされた誘電体を用いて、ユーザのボディの一部がタッチスクリーンの表面をタッチする場合にユーザのボディによる微量の電気エネルギーを感知することによりタッチ座標を計算する方式である。抵抗方式は、タッチスクリーンに組み込まれた２つの電極板を含み、ユーザが画面をタッチする場合、タッチされた地点の上板及び下板が相互に接触することにより電流の流れを感知することによりタッチ座標を計算する方式である。タッチスクリーン１０００において発生するタッチイベントは、主に人間の指により生成されるが、静電容量の変化を加えることができる導電性物質を有する物体によっても生成される。タッチスクリーン１０００は、ユーザインターフェース（ＵＩ）として、オブジェクト（例えば、メニュー、テキスト、イメージ、ビデオ、図形、アイコン、又は短縮アイコンなど）を表示する。ユーザは、タッチスクリーン１０００に表示されたオブジェクトをユーザのボディ（例えば、指）又はスタイラスペンなどの個別のポインティングデバイスを通してタッチすることによりユーザ入力を実行する。
【００４５】
本発明の一実施形態によるタッチは、タッチスクリーン１０００とユーザのボディ又はタッチ可能なフォインティングデバイス間の接触に限定されず、タッチスクリーン１０００とユーザのボディとの間又はタッチスクリーン１０００とフォインティングデバイスとの間の検出可能な間隔が３０ｍｍ以下である非接触（例えば、ホバリング（ｈｏｖｅｒｉｎｇ））を含む。タッチスクリーン１０００において検出可能な非接触間隔が携帯端末機１００の性能又は構造に従って変更できることは、当該技術分野における通常の知識を有する者には明らかであろう。
【００４６】
ペン認識パネル１４８は、ユーザのタッチペン（例えば、スタイラスペン（ｓｔｙｌｕｓ  ｐｅｎ）及びデジタイザペン（ｄｉｇｉｔｉｚｅｒ  ｐｅｎ））の動作に従うペンの近接入力又はタッチ入力を感知し、感知されたペン近接イベント又はペンタッチイベントを出力する。ペン認識パネル１４８は、電磁共振（ＥＭＲ）方式により具現され、ペンの近接又はタッチによる電磁場の強度変化に従ってタッチ又は近接入力を感知する。詳細には、ペン認識パネル１４８は、グリッド構造を有する電磁誘導コイルセンサ及び電磁誘導コイルセンサの各ループコイルに所定の周波数を有する交流信号を順次に提供する電磁信号処理部を含む。共振回路が組み込まれたペンがこのようなペン認識パネル１４８のループコイルの近傍に位置する場合に、対応するループコイルから送信される磁界は、ペン内の共振回路の相互電磁誘導に基づく電流を発生させる。この電流に基づいて、誘導磁界は、ペン内の共振回路を構成するコイルから発生し、ペン認識パネル１４８は、信号受信状態にあるループコイルから誘導磁界を検出することによりペンの接近位置又はタッチ位置を感知できる。ペン認識パネル１４８は、表示パネル１１１の下部の所定の領域、例えば、表示パネル１１１の表示領域をカバーできる領域を有して提供される。
【００４７】
マイク部１５０は、ユーザの音声又は他の声の入力を受信し、受信された入力をオーディオデータに変換する。制御部２００は、マイク部１５０を通して入力されるユーザの音声を通話動作において使用するか、ユーザの音声をオーディオデータに変換し、変換されたオーディオデータをメモリ１２０に格納する。
【００４８】
撮像部１５５は、ユーザの制御の下に静止画像又は動画像を撮像する。複数の撮像部１５５は、全面カメラ及び後面カメラ等により具現される。
【００４９】
撮像部１５５及びマイク部１５０が備えられる場合に、制御部２００は、マイク部１５０を通して入力されるユーザの音声又は撮像部１５５により認識されるユーザのモーションに従って制御動作を実行する。例えば、携帯端末機１００は、モーション制御モード又は音声制御モードにより動作する。携帯端末機１００がモーション制御モードにより動作する場合に、制御部２００は、撮像部１５５を活性化することによりユーザを撮像し、ユーザのモーションの変化を追跡することにより、追跡された変化に対応する制御動作を実行する。携帯端末機１００が音声制御モードにより動作する場合に、制御部２００は、マイク部１５０を通して入力されたユーザの音声を分析し、分析されたユーザの音声に従って制御動作を実行する音声認識モードにより動作する。
【００５０】
動き感知部１６５は、携帯端末機１００の本体の動きを感知する。携帯端末機１００は、様々な方向に回転されるか又は傾けられる。動き感知部１６５は、地磁気センサ、ジャイロセンサ、加速度センサなどの様々なセンサの中の少なくとも１つを用いて回転方向、回転角度、傾きなどの動き特性を感知する。
【００５１】
また、図１には図示していないが、本発明の実施形態において、携帯端末機１００は、ユニバーサルシリアルバス（Ｕｎｉｖｅｒｓａｌ  Ｓｅｒｉｅｓ  Ｂｕｓ、ＵＳＢ）コネクタが接続されるＵＳＢポート、ヘッドセット、マウス、ローカルエリアネットワーク（ＬＡＮ）などの様々な外部端末に接続されるための様々な外部入力ポート、ディジタルマルチメディア放送（Ｄｉｇｉｔａｌ  Ｍｕｌｔｉｍｅｄｉａ  Ｂｒｏａｄｃａｓｔｉｎｇ、ＤＭＢ）信号を受信し処理するためのＤＭＢチップ、様々なセンサなどをさらに含む。
【００５２】
上述した携帯端末機１００の構成要素の名称は変わってもよい。また、本発明による携帯端末機１００は、上述した構成要素の中の少なくとも１つを含んで構成され、一部の構成要素を省略してもよく又は追加の他の構成要素をさらに含んでもよい。
【００５３】
図２は、本発明の一実施形態による携帯端末機のソフトウェア構成を示すブロック図である。
【００５４】
図１によると、メモリ１２０は、携帯端末機１００のリソースを制御するＯＳ及びアプリケーションの動作のためのアプリケーションプログラムなどを記憶する。ＯＳは、カーネル、ミドルウェア、アプリケーションプログラムインターフェース（ＡＰＩ）などを含む。アンドロイド（登録商標）（Ａｎｄｒｏｉｄ）、ｉＯＳ（登録商標）、ウィンドウズ（登録商標）（Ｗｉｎｄｏｗｓ（登録商標））、シンビアン（登録商標）（Ｓｙｍｂｉａｎ）、チゼン（登録商標）（Ｔｉｚｅｎ）、バダ（登録商標）（Ｂａｄａ）などが可能なＯＳの例である。
【００５５】
図２を参照すると、カーネル１２１は、リソースを管理するデバイスドライバ１２１−１又はシステムリソースマネージャ１２１−２の中の少なくとも１つを含む。デバイスドライバ１２１−１は、携帯端末機１００のハードウェアをソフトウェア的に接近して制御する。このために、デバイスドライバ１２１−１は、インターフェース及びハードウェアベンダが提供する個別ドライバモジュールに区分される。デバイスドライバ１２１−１は、例えば、ディスプレイドライバ、カメラドライバ、ブルートゥース（登録商標）ドライバ、共有メモリドライバ、ＵＳＢドライバ、キーパッドドライバ、Ｗｉ−Ｆｉ（登録商標）ドライバ、及びオーディオドライバ又はプロセス間通信（ｉｎｔｅｒ−ｐｒｏｃｅｓｓ  ｃｏｍｍｕｎｉｃａｔｉｏｎ、ＩＰＣ）ドライバの中の少なくとも１つを含む。システムリソースマネージャ１２１−２は、プロセス管理部、メモリ管理部、及びファイルシステム管理部の中の少なくとも１つを含む。システムリソースマネージャ１２１−２は、システムリソースの制御、割り当て、回収などの機能を実行する。
【００５６】
ミドルウェア１２２は、様々なアプリケーションにより共通に要求される機能を提供するために予め実現される複数のモジュールを含む。ミドルウェア１２２は、アプリケーション１２４が携帯端末機１００の内部のリソースを効率的に使用するようにＡＰＩ１２３を通して機能を提供する。ミドルウェア１２２は、アプリケーションマネージャ１２２−１、ウィンドウマネージャ１２２−２、マルチメディアマネージャ１２２−３、リソースマネージャ１２２−４、パワーマネージャ１２２−５、データベースマネージャ１２２−６、パッケージマネージャ１２２−７、接続マネージャ１２２−８、通知マネージャ１２２−９、位置マネージャ１２２−１０、グラフィックマネージャ１２２−１１、保安マネージャ１２２−１２などの複数のモジュールの中の少なくとも１つを含む。
【００５７】
アプリケーションマネージャ１２２−１は、アプリケーション１２４の中の少なくとも１つのアプリケーションのライフサイクル（ｌｉｆｅ  ｃｙｃｌｅ）を管理する。ウィンドウマネージャ１２２−２は、画面において使用するグラフィカルユーザインターフェース（Ｇｒａｐｈｉｃａｌ  Ｕｓｅｒ  Ｉｎｔｅｒｆａｃｅ、ＧＵＩ）リソースを管理する。マルチメディアマネージャ１２２−３は、様々なメディアファイルの再生フォーマットを把握し、対応するフォーマットに適合したコーダ／デコーダ（ＣＯｄｅｒ／ＤＥＣｏｃｅｒ、ＣＯＤＥＣ）を用いてメディアファイルのエンコーディング（ｅｎｃｏｄｉｎｇ）又はデコーディング（ｄｅｃｏｄｉｎｇ）を実行する。リソースマネージャ１２２−４は、アプリケーション１２４の中の少なくともいずれか１つのアプリケーションのソースコード、メモリ、及び格納空間などのリソースを管理する。パワーマネージャ１２２−５は、基本入出力システム（Ｂａｓｉｃ  Ｉｎｐｕｔ／Ｏｕｔｐｕｔ  Ｓｙｓｔｅｍ、ＢＩＯＳ）とともに動作するとともにバッテリ又は電源を管理し、動作に関する電力情報などを提供する。データベースマネージャ１２２−６は、アプリケーション１２４の中の少なくとも１つのアプリケーションにおいて使用するデータベースの生成、検索、又は変更を行う。パッケージマネージャ１２２−７は、パッケージファイルの形態により配布されるアプリケーションの設置又はアップデートを管理する。接続マネージャ１２２−８は、Ｗｉ−Ｆｉ（登録商標）、ブルートゥース（登録商標）などの無線通信を管理する。通知マネージャ１２２−９は、ユーザを妨害しない方式により、到着メッセージ、約束、近接通信などのイベントを表示するか又は通知する。位置マネージャ１２２−１０は、携帯端末機１００の位置情報を管理する。グラフィックマネージャ１２２−１１は、ユーザに提供されているグラフィック効果及びグラフィック効果に関連したＵＩを管理する。保安マネージャ１２２−１２は、システム保安又はユーザ認証に要求されるすべての保安機能を提供する。ユーザの携帯端末機１００が電話機能を含む場合に、ミドルウェア１２２は、ユーザの音声又は画像通話の機能を管理するための通話マネージャ（図示せず）をさらに含む。
【００５８】
ミドルウェア１２２は、ランタイムライブラリ１２２−１３又は他のライブラリモジュール（図示せず）をさらに含む。ランタイムライブラリ１２２−１３は、アプリケーションが実行される間にプログラミング言語を通して新たな機能を付加するためにコンパイラが使用するライブラリモジュールに対応する。例えば、ランタイムライブラリ１２２−１３は、入力／出力、メモリ管理、又は算術関数に対する機能などを実行する。ミドルウェア１２２は、上述した内部構成要素モジュールの様々な機能組み合せを通して新たなミドルウェアモジュールを生成し使用する。ミドルウェア１２２は、差別化された機能を提供するためにオペレーティングシステムのタイプに従って特定化されたモジュールを提供する。ミドルウェア１２２は、既存の構成要素の一部を動的に削除するか又は新たな構成要素を付加する。本発明の実施形態に記載された構成要素の一部を省略するか、他の構成要素をさらに備えるか、又は異なる名称を有する類似した機能を実行する他の構成要素に置き換えてもよい。
【００５９】
ＡＰＩ１２３は、ＡＰＩプログラミング関数のアグリゲーションに対応し、ＯＳに従って異なる構成を有する。ＯＳがアンドロイド（登録商標）又はｉＯＳ（登録商標）である場合には、例えば、プラットフォーム別に１つのＡＰＩセットを提供し、ＯＳがチゼン（登録商標）である場合には、例えば、２つ以上のＡＰＩセットを提供する。
【００６０】
アプリケーション１２４は、基本的に設置されているプリロードアプリケーション（ｐｒｅｌｏａｄｅｄ  Ａｐｐｌｉｃａｔｉｏｎ）、ユーザが携帯端末機１００を使用する過程において設置し使用する第三者のアプリケーション（ｔｈｉｒｄ  ｐａｒｔｙ  ａｐｐｌｉｃａｔｉｏｎ）を含む。アプリケーション１２４は、例えば、ホーム画面に復帰するためのホームアプリケーション１２４−１、相手方と電話通話を行うダイヤラ（ｄｉａｌｅｒ）アプリケーション１２４−２、電話番号を通して識別される相手方からメッセージを受信するテキストメッセージアプリケーション１２４−３、インスタントメッセージ（Ｉｎｓｔａｎｔ  Ｍｅｓｓａｇｅ、ＩＭ）アプリケーション１２４−４、ブラウザ（Ｂｒｏｗｓｅｒ）アプリケーション１２４−５、カメラアプリケーション１２４−６、アラームアプリケーション１２４−７、相手方の電話番号又はアドレスを管理するフォンブック（Ｐｈｏｎｅ−Ｂｏｏｋ）アプリケーション１２４−８、ユーザの通話ログ、テキストメッセージ受信／送信ログ又は不在電話ログなどを管理するコールログアプリケーション１２４−９、電子メール（Ｅ−ｍａｉｌ）を通して識別される相手方からメッセージを受信する電子メールアプリケーション１２４−１０、カレンダアプリケーション１２４−１１、メディアプレーヤ（Ｍｅｄｉａ  Ｐｌａｙｅｒ）アプリケーション１２４−１２、アルバムアプリケーション１２４−１３、及びクロックアプリケーション１２４−１４の中の少なくとも１つを含む。本発明によるソフトウェアの上述した構成要素の名称は、ＯＳのタイプに従って変更される。また、本発明によるソフトウェアは、上述した構成要素の中の少なくとも１つ以上を含んでもよく、又は他の付加の構成要素をさらに含んでもよく、又は上述した構成要素の一部を省略してもよい。
【００６１】
図１の制御部２００は、上述した実施形態に従って様々なユーザインタラクションをサポートする。以下においては、本発明の様々な実施形態によるユーザインタラクション方法について具体的に説明する。
【００６２】
図３乃至図５は、本発明の一実施形態によるコンテンツを拡大し表示するプロセスを示す図である。
【００６３】
図３の画像３１０を参照すると、制御部２００は、タッチスクリーン１０００上にコンテンツ３１１を表示する。例えば、制御部２００は、タッチスクリーン１０００上に放送画像３１１を表示する。
【００６４】
制御部２００は、コンテンツの一部を拡大する入力信号を受信する。入力信号は、例えば、タッチスクリーン１０００に表示されたコンテンツの一部においてユーザのタッチジェスチャ３１５に応じてタッチパネル１４７において発生した信号に対応する。
【００６５】
図３の画像３２０を参照すると、制御部２００は、コンテンツの一部を拡大する入力信号に応じて、タッチスクリーン１０００上に第１の拡大鏡３２２を表示する。第１の倍率（例えば、２倍）により拡大されたコンテンツの一部３２１は、第１の拡大鏡３２２に表示される。また、第１の倍率に関する情報３２３は、第１の拡大鏡３２２に表示される。第１の倍率に関する情報３２３は、第１の拡大鏡３２２が表示される間に継続して表示されるか、又は予め定められた時間期間（例えば、１．５秒乃至２秒）が経過した後に自動的に消える。第１の倍率に関する情報３２３は、透明効果、不透明効果、又はフリッカリング効果により表示される。また、第１の倍率に関する情報３２３は、第１の拡大鏡３２２内だけでなく、第１の拡大鏡３２２外の近傍又は第１の拡大鏡３２２のエッジにも表示できる。
【００６６】
本発明の一実施形態において、タッチスクリーン１０００上に表示される第１の拡大鏡３２２のサイズ及び位置は、ユーザのタッチジェスチャ３１５がタッチスクリーン１０００上にタッチされる地点を考慮して決定される。例えば、第１の拡大鏡３２２は、タッチされた地点から画面の中央の方向に予め定められたサイズを有する。第１の拡大鏡３２２の直径は、例えば、タッチスクリーン１０００の対角線長さの約１／乃至１／４であり得る。ここで、第１の拡大鏡３２２のサイズは、ユーザが個別のメニューなどを通して調整する。
【００６７】
本発明の他の実施形態において、制御部２００は、コンテンツの一部を拡大する入力信号に応じて、第１の拡大鏡３２２に含まれたコンテンツ３２１の再生速度を変更する。例えば、制御部２００は、第１の拡大鏡３２２の外に表示されたコンテンツの再生速度が既存の速度に保持されながら、第１の拡大鏡３２２の内に表示されたコンテンツ３２１の再生速度を既存の速度とは異なる第１の速度（例えば、０．５倍速）に変更する。他方、制御部２００は、第１の拡大鏡３２２の外に表示されたコンテンツ及び第１の拡大鏡３２２の内に表示されたコンテンツ３２１のすべての再生速度を既存の速度とは異なる第２の速度（例えば、０．２倍速）に変更する。他方、制御部２００は、第１の拡大鏡３２２の外に表示されたコンテンツの再生速度を既存の速度とは異なる第１の速度（例えば、０．５倍速）に変更し、第１の拡大鏡３２２の内に表示されたコンテンツ３２１の再生速度を第１の速度とは異なる第２の速度（例えば、０．２倍速）に変更する。
【００６８】
次いで、制御部２００は、コンテンツの他の一部を拡大する入力信号を受信する。入力信号は、例えば、コンテンツ上にユーザのタッチジェスチャ３２５に応じてタッチパネル１４７において発生した信号に対応する。
【００６９】
図４の画像３３０を参照すると、制御部２００は、コンテンツの他の一部を拡大する入力信号に応じて、第２の拡大鏡３３２をタッチスクリーン１０００上に表示する。第２の倍率により拡大されたコンテンツの一部３３１は、第２の拡大鏡３２２内に表示される。第１の倍率及び第２の倍率は、相互に同一であるか又は異なる。
制御部２００は、タッチスクリーン１０００上に第２の拡大鏡３３２を移動させる入力信号を受信する。入力信号は、例えば、第２の拡大鏡３３２を第１の拡大鏡３２２が位置した方向に移動させる第２の拡大鏡３３２上にユーザのタッチドラッグジェスチャ３３５に応じてタッチパネル１４７において発生した信号に対応する。
【００７０】
図４の画像３４０を参照すると、制御部２００は、第２の拡大鏡３３２を移動させる入力信号に応じて、タッチスクリーン１０００上に移動した第２の拡大鏡３２２を表示し、第１の拡大鏡３２２及び第２の拡大鏡３３２の一部を重畳して表示する。このとき、重畳された領域３４２に含まれたコンテンツ３４１は、第１の倍率及び第２の倍率とは異なる第３の倍率により拡大され表示される。ここで、第３の倍率は、第１の倍率又は第２の倍率より大きい。例えば、第３の倍率は、第１の倍率を第２の倍率に加えるか又は第１の倍率を第２の倍率に乗じることにより得られた倍率である。具体的に、第１の倍率が２倍であり、第２の倍率が２倍である場合に、第３の倍率は、４倍である。また、第１の倍率が３倍であり、第２の倍率が３倍である場合に、第３の倍率は、６倍又は９倍である。第３の倍率に関する情報３４３は、重畳された領域３４２上に表示される。制御部２００は、第１の拡大鏡３２２及び第２の拡大鏡３３２が重畳されるか否かを判定するために、第１の拡大鏡３２２及び第２の拡大鏡３３２のタッチスクリーン１０００上の位置を考慮する。例えば、第１の拡大鏡３２２及び第２の拡大鏡３３２のそれぞれがＲ１及びＲ２の半径を有する円の形態を有する場合に、第１の拡大鏡３２２の中心と第２の拡大鏡３３２の中心との間の直線距離が半径Ｒ１を半径Ｒ２に加えることにより得られた長さより小さい場合に、制御部２００は、第１の拡大鏡３２２及び第２の拡大鏡３３２が相互に重畳されると判定し、第１の拡大鏡３２２及び第２の拡大鏡３３２が相互に重畳される重畳領域３４２に含まれたコンテンツを第３の倍率により拡大し表示する。
【００７１】
本発明の他の実施形態において、第１の拡大鏡及び第２の拡大鏡がそれぞれ水平方向の辺Ｄ１及びＤ２を有する長方形を有し、第１の拡大鏡及び第２の拡大鏡が同一の水平線上に位置する場合に、第１の拡大鏡の中心と第２の拡大鏡の中心との間の直線距離が、水平方向の辺Ｄ１の半分を水平方向の辺Ｄ２の半分に加えることにより得られた長さより小さい場合に、制御部２００は、第１の拡大鏡及び第２の拡大鏡が相互に重畳されると判定し、第１の拡大鏡及び第２の拡大鏡が相互に重畳される重畳領域に含まれたコンテンツを第３の倍率により表示する。
【００７２】
本発明のもう１つの実施形態において、第１の拡大鏡及び第２の拡大鏡がそれぞれＳ１及びＳ２長さの辺を有する正三角形を有し、第１の拡大鏡及び第２の拡大鏡が同一の水平線上に位置する場合に、第１の拡大鏡の中心と第２の拡大鏡の中心との間の直線距離が辺Ｓ１の半分を辺Ｓ２の半分に加えることにより得られた長さより小さい場合に、制御部２００は、第１の拡大鏡及び第２の拡大鏡が相互に重畳されると判定し、第１の拡大鏡及び第２の拡大鏡が相互に重畳される重畳領域に含まれたコンテンツを第３の倍率により拡大し表示する。
【００７３】
上述したように、本発明によると、第１の拡大鏡及び第２の拡大鏡の形態は、円形態に限定されず、四角形又は三角形などの多角形又は特定の物体のアウトラインを形状化した所定の形態により具現される。
【００７４】
制御部２００は、第１の拡大鏡３２２の一部及び第２の拡大鏡３３２の一部がタッチスクリーン１０００上に相互に重畳される状態において第２の拡大鏡３３２の選択を解除する入力信号を受信する。入力信号は、例えば、第２の拡大鏡３３２上のユーザのタッチ解除ジェスチャ３４５に応じてタッチパネル１４７において発生した信号に対応する。
【００７５】
図５の画像３５０を参照すると、制御部２００は、第２の拡大鏡３３２の選択を解除する入力信号に応じて、第２の拡大鏡３３２が第１の拡大鏡３２２に合せられるアニメーション効果３５２を提供する。アニメーション効果３５２は、例えば、第２の拡大鏡３３２が第１の拡大鏡３２２に吸い込まれる視覚効果３５２、音響効果などを含む。
【００７６】
図５の画像３６０を参照すると、制御部２００は、第１の拡大鏡３２２及び第２の拡大鏡３３２を合せた、すなわち、第１の拡大鏡３２２及び第２の拡大鏡３３２を重畳することにより得られた結果として第３の拡大鏡３６２を表示する。ここで、第３の拡大鏡３６２のサイズ及び位置は、第１の拡大鏡３２２のサイズ及び位置と同一であり、第３の拡大鏡３６２に含まれたコンテンツの拡大倍率のみは、第１の拡大鏡３２２に含まれたコンテンツの拡大倍率とは異なる。制御部２００は、第３の拡大鏡３６２に含まれたコンテンツ３６１を第３の倍率により拡大し表示する。第３の倍率は、例えば、第１の拡大鏡３２２の第１の倍率及び第２の拡大鏡３３２の第２の倍率を加えるか又は乗じることにより得られた倍率である。
【００７７】
図６及び図７は、本発明の一実施形態による拡大されたコンテンツを縮小し表示するプロセスを示す図である。
【００７８】
図６の画像４１０を参照すると、制御部２００は、第３の拡大鏡４１２をタッチスクリーン１０００上に表示する。第３の倍率により拡大されたコンテンツの一部４１１は、第３の拡大鏡４１２内に表示される。第３の拡大鏡４１２は、例えば、第１の拡大鏡及び第２の拡大鏡を合せることにより得られた結果である。
【００７９】
制御部２００は、タッチスクリーン１０００上に第３の拡大鏡４１２を分離する入力信号を受信する。入力信号は、例えば、第３の拡大鏡４１２上にユーザのタッチジェスチャ４０５を維持した状態において、他の指を使用する第３の拡大鏡４１２上にユーザのタッチドラッグジェスチャ４１５に応じてタッチパネル１４７において発生した信号に対応する。
【００８０】
図６の画像４２０を参照すると、制御部２００は、第３の拡大鏡４１２を分離する入力信号に応じて、第１の拡大鏡４２２の一部及び第２の拡大鏡４３２の一部を重畳して表示する。第１の拡大鏡４２２に含まれたコンテンツ４２１は、第１の倍率により拡大され表示され、第２の拡大鏡４３２に含まれたコンテンツ４３１は、第２の倍率により拡大され表示され、第１の拡大鏡４２２及び第２の拡大鏡４３２が相互に重畳される領域４４２に含まれたコンテンツ４４１は、第３の倍率により拡大され表示される。
【００８１】
制御部２００は、タッチスクリーン１０００上に第２の拡大鏡４３２を移動する入力信号を受信する。入力信号は、例えば、第１の拡大鏡４２２上にタッチが継続して維持される状態において他の指を使用する第２の拡大鏡４３２上にユーザのタッチドラッグジェスチャ４２５に応じてタッチパネル１４７において発生した信号に対応する。
【００８２】
図７の画像４３０を参照すると、制御部２００は、第２の拡大鏡４３２を移動する入力信号に応じて、第１の拡大鏡４２２の一部及び第２の拡大鏡４３２の一部が重畳されないように第１の拡大鏡４２２及び第２の拡大鏡４３２を表示する。
【００８３】
制御部２００は、タッチスクリーン１０００上に第２の拡大鏡４３２の選択を解除する入力信号を受信する。入力信号は、例えば、第２の拡大鏡４３２上にユーザのタッチ解除ジェスチャ４３５に応じてタッチパネル１４７において発生した信号に対応する。
【００８４】
図７の画像４４０を参照すると、制御部２００は、第２の拡大鏡４３２の選択を解除する入力信号に応じて、第２の拡大鏡４３２をタッチスクリーン１０００から除去する。第１の拡大鏡４２２だけがタッチスクリーン１０００上に表示される。制御部２００が第１の拡大鏡４２２の選択を解除する入力信号を受信する場合に、第１の拡大鏡４２２もタッチスクリーン１０００から除去される。
【００８５】
図８は、本発明の一実施形態による複数のコンテンツ領域を同時に拡大し表示するプロセスを示す図である。
【００８６】
図８の画像５１０を参照すると、制御部２００は、タッチスクリーン１０００上にコンテンツ５０１を表示する。制御部２００は、コンテンツの複数の領域を拡大する入力信号を受信する。入力信号は、例えば、コンテンツ上にユーザの第１のタッチジェスチャ５０５及び第２のタッチジェスチャ５１５に応じてタッチパネル１４７において発生した信号に対応する。第１のタッチジェスチャ５０５及び第２のタッチジェスチャ５１５は、同時に又はほぼ同時に実行される。ここで、用語“ほぼ同時に（ａｌｍｏｓｔ  ｓｉｍｕｌｔａｎｅｏｕｓｌｙ）”は、第１のタッチジェスチャ５０５及び第２のタッチジェスチャ５１５が例えば約０．５秒内にともに実行されることを意味する。
【００８７】
図８の画像５２０を参照すると、制御部２００は、コンテンツの複数の領域を拡大する入力信号に応じて、第１の拡大鏡５２２及び第２の拡大鏡５３２を同時に又はほぼ同時に実行する。このとき、第１の拡大鏡５２２に含まれたコンテンツ５２１は、第１の倍率により拡大され表示され、第２の拡大鏡５３２に含まれたコンテンツ５３１は、第２の倍率により拡大され表示され、第１の拡大鏡５２２及び第２の拡大鏡５３２が相互に重畳される領域５４２に含まれたコンテンツ５４１は、第３の倍率により拡大され表示される。このとき、第３の倍率は、第１の拡大鏡５２２の第１の倍率及び第２の拡大鏡５３２の第２の倍率を加えるか又は乗じることにより得られた倍率である。
【００８８】
図９及び図１０は、本発明の一実施形態によるコンテンツの拡大倍率を増加させるプロセスを示す図である。
【００８９】
図９の画像６１０を参照すると、制御部２００は、コンテンツの複数の領域を拡大する入力信号に応じて、第１の拡大鏡６１２に含まれたコンテンツ６１１を第１の倍率により拡大し表示し、第２の拡大鏡６２２に含まれたコンテンツ６２１を第２の倍率により拡大し表示する。
【００９０】
図９の画像６２０を参照すると、制御部２００は、第１の拡大鏡６１２及び第２の拡大鏡６２２がタッチスクリーン１０００上に表示される状態おいて、第１の拡大鏡６１２及び第２の拡大鏡６２２を結合させる入力信号を受信する。入力信号は、例えば、第２の拡大鏡６２２から第１の拡大鏡６１２に進むユーザのフリックジェスチャ６２５に応じてタッチパネル１４７において発生した信号に対応する。
【００９１】
図１０の画像６３０を参照すると、制御部２００は、第１の拡大鏡６１２及び第２の拡大鏡６２２を結合する入力信号に応じて、第２の拡大鏡６２２が第１の拡大鏡６１２に結合されるアニメーション効果６３２を提供する。アニメーション効果６３２は、例えば、第２の拡大鏡６２２が第１の拡大鏡６１１に吸い込まれる視覚効果６３２などを含む。
【００９２】
図１０の画像６４０を参照すると、制御部２００は、第１の拡大鏡６１２及び第２の拡大鏡６２２を結合することにより得られた結果として第３の拡大鏡６４２を表示する。制御部２００は、第３の拡大鏡６４２に含まれたコンテンツ６４１を第３の倍率により拡大し表示する。第３の倍率は、第１の拡大鏡６１２の第１の倍率及び第２の拡大鏡６２２の第２の倍率を加えるか又は乗じることにより得られた倍率である。
【００９３】
図１１、１２は、本発明の他の実施形態によるコンテンツを拡大するプロセスを示す図である。
【００９４】
図１１の画像７１０を参照すると、制御部２００は、コンテンツがタッチスクリーン１０００上に表示される状態において、コンテンツの一部を拡大する入力信号を受信する。入力信号は、例えば、コンテンツ上にユーザのピンチオープンジェスチャ７１５に応じてタッチパネル１４７において発生した信号に対応する。ピンチオープンジェスチャ７１５は、２つの指を用いてタッチスクリーン１０００上に２つの地点をタッチし、タッチを維持した状態において２つの指間の長さを増加させるユーザジェスチャである。
【００９５】
図１１の画像７２０を参照すると、制御部２００は、コンテンツの一部を拡大する入力信号に応じてタッチスクリーン１０００上に第１の拡大鏡７２２を表示する。
【００９６】
本発明の一実施形態において、タッチスクリーン１０００上に表示される第１の拡大鏡７２２のサイズ及び位置は、ユーザのピンチオープンジェスチャ７１５がタッチスクリーン１０００上においてタッチされ、タッチが解除される地点を考慮して決定される。例えば、制御部２００は、２つの指がタッチスクリーン１０００上にタッチされる２つの地点間の中間地点を第１の拡大鏡７２２の中心として判定し、２つの指間の長さを増加させた後に２つの指のタッチが解除された２つの地点間の直線長さを第１の拡大鏡７２２の直径として決定する。
【００９７】
本発明の他の実施形態において、制御部２００は、２つの指のタッチが解除された２つの地点間の直線長さを反映することにより倍率を設定する。例えば、制御部２００は、指のタッチが解除された２つの地点間の直線長さが予め定められた第１の長さを超過する時に、第１の拡大鏡７２２を通してコンテンツの一部を拡大する倍率を第１の倍率（例えば、２倍）として設定し、指のタッチが解除された２つの地点間の直線長さが予め定められた第２の長さを超過する時に、第１の拡大鏡７２２を通してコンテンツの一部を拡大する倍率を第２の倍率（例えば、３倍）として設定し、指のタッチが解除された２つの地点間の直線長さが予め定められた第３の長さを超過する時に、第１の拡大鏡７２２を通してコンテンツの一部を拡大する倍率を第３の倍率（例えば、４倍）として設定する。
【００９８】
ユーザが第１の拡大鏡７２２においてタッチを解除する場合にも、第１の拡大鏡７２２は、タッチスクリーン１０００上に継続して表示されることもある。
【００９９】
制御部２００は、コンテンツの一部を拡大する入力信号を受信する。入力信号は、例えば、コンテンツの他の一部上へのユーザのピンチオープンジェスチャ７２５に応じてタッチパネル１４７において発生した信号に対応する。
【０１００】
図１２の画像７３０を参照すると、制御部２００は、コンテンツの他の一部を拡大する入力信号に応じて、タッチスクリーン１０００上に第２の拡大鏡７３２を表示する。
【０１０１】
制御部２００は、第２の拡大鏡７３２を移動する入力信号を受信する。入力信号は、例えば、第２の拡大鏡７３２から第１の拡大鏡７２２に移動するユーザのタッチドラッグジェスチャ７３５に応じて、タッチパネル１４７において発生した信号に対応する。
【０１０２】
図１２の画像７４０を参照すると、制御部２００は、第２の拡大鏡７３２を移動させる入力信号に応じて、第１の拡大鏡７２２の一部及び第２の拡大鏡７３２の一部が相互に重畳されるように第１の拡大鏡７２２及び移動された第２の拡大鏡７３２を表示する。このとき、第１の拡大鏡７２２に含まれたコンテンツの一部７２１は、第１の倍率により拡大され表示され、第２の拡大鏡７３２に含まれたコンテンツの一部７３１は、第２の倍率により拡大され表示され、第１の拡大鏡７２２及び第２の拡大鏡７３２が相互に重畳される領域に含まれたコンテンツの一部７４１は、第３の倍率により拡大され表示される。ここで、第３の倍率は、第１の倍率又は第２の倍率より大きい。
【０１０３】
図１３は、本発明の一実施形態によるコンテンツを拡大し表示するプロセスを示すフローチャートである。
【０１０４】
携帯端末機１００は、タッチスクリーン１０００上にコンテンツを表示する。コンテンツは、例えば、ステップＳ８０１において、イメージ、動画像、放送画像などを含む。
【０１０５】
携帯端末機１００は、ステップＳ８０３において、タッチスクリーン１０００上に第１の拡大鏡を表示し、第１の拡大鏡に含まれたコンテンツの一部を第１の倍率により拡大し表示する。例えば、携帯端末機１００は、タッチスクリーン１０００上にユーザのタッチジェスチャ又はユーザのピンチオープンジェスチャに応じて、第１の拡大鏡に含まれたコンテンツの一部を第１の倍率により拡大し表示する。
【０１０６】
携帯端末機１００は、ステップＳ８０５において、タッチスクリーン１０００上に第２の拡大鏡を表示し、第２の拡大鏡に含まれたコンテンツの一部を第２の倍率により拡大し表示する。例えば、携帯端末機１００は、タッチスクリーン１０００上にユーザのタッチジェスチャ又はピンチオープンジェスチャに応じて、第２の拡大鏡に含まれたコンテンツの一部を第２の倍率により拡大し表示する。このとき、ステップＳ８０３及びステップＳ８０５は、同時に又は順次に実行される。
【０１０７】
携帯端末機１００は、ステップＳ８０７において、第１の拡大鏡及び第２の拡大鏡が相互に重畳される領域に含まれたコンテンツの一部を第１の倍率及び第２の倍率とは異なる第３の倍率により拡大し表示する。このとき、ステップＳ８０５及びステップＳ８０７は、同時に又は順次に実行される。他方、ステップ８０７が実行された後に、ステップＳ８０５が実行される。
【０１０８】
図１４は、本発明の一実施形態によるコンテンツを拡大し表示するプロセスを示すフローチャートである。
【０１０９】
携帯端末機１００は、ステップＳ９０１において、タッチスクリーン１０００上にコンテンツを表示する。
【０１１０】
携帯端末機１００は、ステップＳ９０３において、タッチスクリーン１０００上に第１の拡大鏡を表示し、第１の拡大鏡に含まれたコンテンツの一部を第１の倍率により拡大し表示する。
【０１１１】
携帯端末機１００は、ステップＳ９０５において、タッチスクリーン１０００上に第２の拡大鏡を表示し、第２の拡大鏡に含まれたコンテンツの一部を第２の倍率により拡大し表示する。このとき、第１の拡大鏡及び第２の拡大鏡が相互に重畳される領域を含まない。
【０１１２】
携帯端末機１００は、ステップＳ９０７において、タッチスクリーン１０００上においてユーザのジェスチャを判定する。
【０１１３】
ユーザのジェスチャが第２の拡大鏡上の第１のジェスチャ（例えば、タッチドラッグジェスチャ）であると判定される場合、携帯端末機１００は、ステップＳ９０９において、第１の拡大鏡及び第２の拡大鏡が相互に重畳される重畳領域に含まれたコンテンツの一部を第１の倍率及び第２の倍率とは異なる第３の倍率により表示する。
【０１１４】
ユーザのジェスチャが第２の拡大鏡上に第１のジェスチャ（例えば、フリックジェスチャ）であると判定される場合、携帯端末機１００は、ステップＳ９１１において、第１の拡大鏡及び第２の拡大鏡の全体が相互に重畳される結果として第３の拡大鏡を表示し、第３の拡大鏡に含まれたコンテンツの一部を第１の倍率及び第２の倍率とは異なる第３の倍率により拡大し、拡大されたコンテンツを表示する。
【０１１５】
ユーザのジェスチャが第２の拡大鏡上の第３のジェスチャ（例えば、タッチ解除ジェスチャ）であると判定される場合、携帯端末機１００は、ステップＳ９１３において、タッチスクリーン１０００上に表示された第２の拡大鏡を除去する。
【０１１６】
図１５は、本発明の一実施形態による携帯端末機の構成を示すブロック図である。
【０１１７】
図１５を参照すると、携帯端末機１００は、タッチスクリーン１０００及び制御部２００を含む。タッチスクリーン１０００及び制御部２００のハードウェア構成の一例については上述したので、重複する説明は、省略する。
【０１１８】
タッチスクリーン１０００は、コンテンツを表示する。制御部２００は、タッチスクリーン１０００上に第１の拡大鏡及び第２の拡大鏡を表示し、第１の拡大鏡に含まれたコンテンツの一部を第１の倍率により拡大し表示し、第２の拡大鏡に含まれたコンテンツの一部を第２の倍率により拡大し表示する。このとき、制御部２００は、第１の拡大鏡及び第２の拡大鏡が相互に重畳される領域に含まれたコンテンツの一部を第１の倍率及び第２の倍率とは異なる第３の倍率により拡大し表示する。
【０１１９】
上述した本発明の実施形態は、ハードウェア、ソフトウェア、又はハードウェア及びソフトウェアの組み合せの形態により実現できることがわかる。このようなソフトウェアは、例えば、削除又は再記録が可能であるか否かに関係なく、ＲＯＭなどの揮発性又は非揮発性記憶装置、ＲＡＭ、メモリチップ、メモリ装置又はメモリ集積回路（ＩＣ）等のメモリ、又はコンパクトディスク（登録商標）（ＣＤ）、ディジタルビデオディスク（登録商標）（ＤＶＤ）、磁気ディスク、又は磁気テープ等の光学的に又は磁気的に読み取り可能であると同時に機械により読み取り可能な（例えば、コンピュータ読み取り可能な）媒体に記憶される。
【０１２０】
本発明に従う携帯端末機のコンテンツの拡大及び表示の方法は、制御部及びメモリを含むコンピュータ又は携帯端末機により実現でき、メモリは、本発明の実施形態を実現する指示を含むプログラム及び複数のプログラムを記憶するのに適合した機械により読み取り可能な記録媒体の一例である。本発明は、特許請求範囲に記載された装置又は方法を実現するためのコードを含むプログラム及びプログラムを格納する機械（例えば、コンピュータなど）読み取り可能な記録媒体を含む。また、このようなプログラムは、有線又は無線接続を通じて搬送される通信信号などの任意の媒体を通して電子的に移送され、本発明は、これと均等なことを適切に含む。さらに、本発明による携帯端末機は、有線又は無線により接続されるプログラム提供装置からプログラムを受信し格納できる。さらにまた、ユーザは、携帯端末機の設定を調整することにより、ネットワークを通したサーバとの連動により本発明の実施形態による動作を選択的に限定するか又は拡張する。
【０１２１】
以上、本発明を具体的な実施形態に基づいて図示及び説明したが、添付した特許請求の範囲により規定される本発明の精神及び範囲を外れることなく、形式や細部の様々な変更が可能であることは、当該技術分野における通常の知識を持つ者には明らかである。
【符号の説明】
【０１２２】
１００  携帯端末機
１１０  表示部
１１１  表示パネル
１２０  メモリ
１２５  ＧＰＳチップ
１３０  通信部
１３５  ビデオプロセッサ
１４０  オーディオプロセッサ
１４５  ユーザ入力部
１４６  キー
１４７  タッチパネル
１４８  ペン認識パネル
１５０  マイク部
１５５  撮像部
１６０  スピーカ部
１６５  動き感知部
２００  制御部
２１０  ＲＡＭ
２２０  ＲＯＭ
２３０  ＣＰＵ
２４０  ＧＰＵ
２５０  バス
３１１、３２１、４２１、４４１、５２１  コンテンツ
３１５、３２５  タッチジェスチャ
３２２、４２２、５２２、６１２、７２２  第１の拡大鏡
３２３  第１の倍率に関する情報
３３２、４３２、５３２、６２２、７３２  第２の拡大鏡
３６２、４１２  第３の拡大鏡
１０００  タッチスクリーン
【図１】
2015170365.tif 000003
【図２】
2015170365.tif 000004
【図３】
2015170365.tif 000005
【図４】
2015170365.tif 000006
【図５】
2015170365.tif 000007
【図６】
2015170365.tif 000008
【図７】
2015170365.tif 000009
【図８】
2015170365.tif 000010
【図９】
2015170365.tif 000011
【図１０】
2015170365.tif 000012
【図１１】
2015170365.tif 000013
【図１２】
2015170365.tif 000014
【図１３】
2015170365.tif 000015
【図１４】
2015170365.tif 000016
【図１５】
2015170365.tif 000017